【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
第１の記憶手段に記憶されたプログラムに基づき動作する情報処理装置であって、
外部から送信されてくる前記プログラムの更新用のプログラムと、前記更新用のプログラムの送信時間に関する情報とを受信する受信手段と、
前記受信手段で受信した時間情報に基づき、前記情報処理装置が前記更新用プログラムを受信可能な状態にする状態制御手段と、
前記状態制御手段による受信可能な状態で、前記受信手段により受信した更新用のプログラムを、前記第１の記憶手段とは異なる第２の記憶手段に記憶する記憶制御手段と、
前記第１の記憶手段に記憶されたプログラムに基づく動作から、前記第２の記憶手段に記憶された更新用のプログラムに基づく動作に変更する変更手段とを有することを特徴とする情報処理装置。
【請求項２】
前記情報処理装置が動作する時間を予約する予約手段を更に有し、
前記記憶制御手段は、前記予約された時間と送信時間が重なるときは、前記更新用のプログラムの前記第２の記憶手段への記憶を行わないことを特徴とする請求項１に記載の情報処理装置。
【請求項３】
前記受信した更新用プログラムをチェックするチェック手段を更に有し、
前記変更手段は、前記チェック手段の結果に基づいて変更することを特徴とする請求項１に記載の情報処理装置。
【請求項４】
前記状態制御手段は、前記時間情報に含まれる開始時間の所定時間前から前記情報処理装置を受信可能な状態にすることを特徴とする請求項１乃至３の何れかに記載の情報処理装置。
【請求項５】
第１の記憶手段に記憶されたプログラムに基づき動作する情報処理装置のプログラム更新方法であって、
外部から送信されてくる前記プログラムの更新用のプログラムの送信時間に関する情報を受信する受信工程と、
前記受信工程で受信した時間情報に基づき、前記情報処理装置が前記更新用プログラムを受信可能な状態にする状態制御工程と、
前記状態制御工程による受信可能な状態で、受信手段により受信した更新用のプログラムを、前記第１の記憶手段とは異なる第２の記憶手段に記憶する記憶制御工程と、
前記第１の記憶手段に記憶されたプログラムに基づく動作から、前記第２の記憶手段に記憶された更新用のプログラムに基づく動作に変更する変更工程とを有することを特徴とするプログラム更新方法。
【請求項６】
前記情報処理装置が動作する時間を予約する予約工程を更に有し、
前記記憶制御工程による、前記予約された時間と送信時間が重なるときは、前記更新用のプログラムの前記第２の記憶手段への記憶を行わないことを特徴とする請求項５に記載のプログラム更新方法。
【請求項７】
第１の記憶手段に記憶されたプログラムに基づき動作する情報処理装置に用いられ、プログラムを更新するための次のステップを含む記憶媒体であって、
外部から送信されてくる前記プログラムの更新用のプログラムの送信時間に関する情報を受信する受信ステップと、
前記受信ステップで受信した時間情報に基づき、前記情報処理装置が前記更新用プログラムを受信可能な状態にする状態制御ステップと、
前記状態制御ステップによる受信可能な状態で、受信手段により受信した更新用のプログラムを、前記第１の記憶手段とは異なる第２の記憶手段に記憶する記憶制御ステップと、
前記第１の記憶手段に記憶されたプログラムに基づく動作から、前記第２の記憶手段に記憶された更新用のプログラムに基づく動作に変更する変更ステップとを有することを特徴とする記憶媒体。
【請求項８】
前記情報処理装置が動作する時間を予約する予約ステップを更に有し、
前記記憶制御ステップによる、前記予約された時間と送信時間が重なるときは、前記更新用のプログラムの前記第２の記憶手段への記憶を行わないことを特徴とする請求項７に記載の記憶媒体。
【手続補正２】
【補正対象書類名】明細書
【補正対象項目名】００１１
【補正方法】変更
【補正の内容】
【００１１】
【課題を解決するための手段】
上記課題を解決するために、本願発明の情報処理装置は、第１の記憶手段に記憶されたプログラムに基づき動作する情報処理装置であって、外部から送信されてくる前記プログラムの更新用のプログラムと、前記更新用のプログラムの送信時間に関する情報とを受信する受信手段と、前記受信手段で受信した時間情報に基づき、前記情報処理装置が前記更新用プログラムを受信可能な状態にする状態制御手段と、前記状態制御手段による受信可能な状態で、前記受信手段により受信した更新用のプログラムを、前記第１の記憶手段とは異なる第２の記憶手段に記憶する記憶制御手段と、前記第１の記憶手段に記憶されたプログラムに基づく動作から、前記第２の記憶手段に記憶された更新用のプログラムに基づく動作に変更する変更手段とを有する。


【手続補正３】
【補正対象書類名】明細書
【補正対象項目名】００１２
【補正方法】変更
【補正の内容】
【００１２】
また、本願発明のプログラム更新方法は、第１の記憶手段に記憶されたプログラムに基づき動作する情報処理装置のプログラム更新方法であって、外部から送信されてくる前記プログラムの更新用のプログラムの送信時間に関する情報を受信する受信工程と、前記受信工程で受信した時間情報に基づき、前記情報処理装置が前記更新用プログラムを受信可能な状態にする状態制御工程と、前記状態制御工程による受信可能な状態で、受信手段により受信した更新用のプログラムを、前記第１の記憶手段とは異なる第２の記憶手段に記憶する記憶制御工程と、前記第１の記憶手段に記憶されたプログラムに基づく動作から、前記第２の記憶手段に記憶された更新用のプログラムに基づく動作に変更する変更工程とを有する。


【手続補正４】
【補正対象書類名】明細書
【補正対象項目名】００１３
【補正方法】変更
【補正の内容】
【００１３】
また、本願発明の記憶媒体は、第１の記憶手段に記憶されたプログラムに基づき動作する情報処理装置に用いられ、プログラムを更新するための次のステップを含む記憶媒体であって、外部から送信されてくる前記プログラムの更新用のプログラムの送信時間に関する情報を受信する受信ステップと、前記受信ステップで受信した時間情報に基づき、前記情報処理装置が前記更新用プログラムを受信可能な状態にする状態制御ステップと、前記状態制御ステップによる受信可能な状態で、受信手段により受信した更新用のプログラムを、前記第１の記憶手段とは異なる第２の記憶手段に記憶する記憶制御ステップと、前記第１の記憶手段に記憶されたプログラムに基づく動作から、前記第２の記憶手段に記憶された更新用のプログラムに基づく動作に変更する変更ステップとを有する。


【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】０１０１
【補正方法】削除
【補正の内容】
【手続補正１２】
【補正対象書類名】明細書
【補正対象項目名】０１０２
【補正方法】変更
【補正の内容】
【０１０２】
【発明の効果】
以上説明のように本願発明によれば、情報処理装置の動作中に、プログラムの変更による不自然な動作を防止することができる。


【手続補正１３】
【補正対象書類名】明細書
【補正対象項目名】０１０３
【補正方法】削除
【補正の内容】